(57)【要約】  【課題】１次フィルター体を取り外すことなく２次フィルター体の清掃が容易にできる洗濯乾燥機を提供する。  【解決手段】本体４０に、洗濯物を収納する内槽（図示せず）を回転自在に収納する外槽（図示せず）と、外気取り入れ口５３から外気を吸引し内槽内に送風し排気口（図示せず）より排気する電動送風機（図示せず）を配し、外気取り入れ口５３に、２次フィルター体６０とその上流側に１次フィルター体６１を設け、２次フィルター体６０は、その上流面を除塵すると共に伝達ギア６２ｂを有する除塵体６２を有し、１次フィルター体６１は、１次フィルター６５が固着された１次枠体６４から出没自在の取っ手６３に連結され、伝達ギア６２ｂに係合する係合ギア６３ｂを有する軸体６３ｃを備えたもので、取っ手６３を１次枠体６４から出し入れするだけで、２次フィルター体６０の除塵ができる。  【選択図】図５
2010022677.tif 000002
【特許請求の範囲】
【請求項１】
外気取り入れ口と排気口を有する略直方体の本体に、洗濯物を収納する内槽と、前記内槽を回転自在に収納する外槽と、前記外気取り入れ口から外気を吸引し、前記内槽内に送風し前記排気口より排気する電動送風機と、前記外気取り入れ口に設けられ塵埃を捕集する捕集フィルター体とを備え、前記捕集フィルター体は、２次フィルター体と、前記２次フィルター体の上流側で前記２次フィルター体に対面し且つ前記本体に着脱自在に挿着される１次フィルター体から構成され、前記２次フィルター体は、前記本体に固着された２次枠体と、外周が前記２次枠体に固着された２次フィルターと、前記２次フィルター体の上流面に摺接して除塵するよう取付けられると共に伝達ギアを有する除塵体より成り、前記１次フィルター体は、一端に開口部を有する箱状の１次枠体と、前記１次枠体に固着された１次フィルターと、前記１次枠体から前記本体の外方に出没自在の取っ手と、前記取っ手に連結されると共に前記伝達ギアに係合する係合ギアを有する軸体とを備えたことを特徴とする洗濯乾燥機。
【請求項２】
取っ手は、１次枠体に設けた軸受に可動自在に支持され、前記取っ手を前記本体より所定距離だけ引き出したとき、前記軸体に設けたストッパーが前記軸受の一部に当接するようにしたことを特徴とする請求項１に記載の洗濯乾燥機。
【請求項３】
軸体を、その長手方向の一方向に常時付勢する弾性体を設けたことを特徴とする請求項１又は２に記載の洗濯乾燥機。
【請求項４】
１次フィルター体の伝達ギア近傍部に、係合ギアが前記伝達ギアから離脱することを防止する軸体規制部を設けたことを特徴とする請求項１乃至３のいずれか１項に記載の洗濯乾燥機。
【請求項５】
外気取り入れ口と排気口を有すると共に開閉自在の蓋を設けた略直方体の本体に、洗濯物を収納する内槽と、前記内槽を回転自在に収納する外槽と、前記外気取り入れ口から外気を吸引し、前記内槽内に送風し前記排気口より排気する電動送風機と、前記外気取り入れ口に設けられ塵埃を捕集する捕集フィルター体とを備え、前記捕集フィルター体は、２次フィルター体と、前記２次フィルター体の上流側で前記２次フィルター体に対面し且つ前記本体に着脱自在に挿着される１次フィルター体から構成され、前記２次フィルター体は、前記本体に固着された２次枠体と、外周が前記２次枠体に固着された２次フィルターと、前記２次フィルター体の上流面に摺接して除塵するよう取付けられると共に伝達ギアを有する除塵体より成り、さらに、前記伝達ギアと係合自在に係合する係合ギアを一体的に形成すると共に前記蓋の開閉動作に連動して移動する軸体を備えたことを特徴とする洗濯乾燥機。
【発明の詳細な説明】
【技術分野】
【０００１】
本発明は、主に洗濯した衣類などを乾燥する洗濯乾燥機に関するものである。
【背景技術】
【０００２】
従来のこの種の洗濯乾燥機の乾燥運転においては、電動送風機で吸引した外気をヒータなどの発熱体で加熱し、得られた温風を洗濯槽内の衣類に当てて、衣類からの蒸気を含んだ空気を外部に排出して衣類を乾燥するようにしているが、吸引される外気に浮遊粉塵が含まれていると、それが洗濯乾燥機内に進入して、発熱体や、蒸気を凝縮させる冷却装置さらには電動送風機等に附着して、その機能を阻害するので、粉塵を捕集するフィルターを着脱自在に設けている。
【０００３】
そのフィルターに粉塵が堆積すると、外気の侵入が阻害され、乾燥効率が低下し、また電動送風機等にも悪影響を及ぼすので、定期的にフィルターの清掃が必要となる。この場合、フィルターを紛失したり、取付け忘れ、あるいは中途半端に取付けたりすると、浮遊粉塵が本体内に侵入するので、これを防止するために、着脱自在のメインフィルター（１次フィルター体）の下流側に、バックアップフィルター（２次フィルター体）を本体に固着して設けたものがある（例えば、特許文献１参照）。
【０００４】
図１０は、上記特許文献１に記載された洗濯乾燥機の概略構成を示す断面図、図１１は、同洗濯乾燥機のファンケーシング部分の斜視図である。
【０００５】
図１０、１１において、従来の洗濯乾燥機は、外箱１内に水槽２を搖動自在に配設し、該水槽２内に、底部に回転自在の回転翼３を配設するとともに、周壁に多数の脱水孔５を穿設した洗濯兼脱水槽４を設けている。６は、洗濯兼脱水槽４の上部に取り付けたバランサ、７は、洗濯兼脱水槽４や回転翼３を回転させるためのモータである。外箱１の上部の開口には、フタ８を備えたトップパネル９が取り付けられている。
【０００６】
乾燥運転時に外気を取り入れる開口１０が外箱１の上方側部に設けられ、この開口１０には、シロッコファンなどの送風ファン１１を内蔵したファンケーシング１２が装着され、該ファンケーシング１２に形成した外気取り入れ口１３に、網状の２次フィルター１４ａからなる２次フィルター体１４が固着されている。
【０００７】
２次フィルター体１４の外側には、１次フィルター１５ａと、１次フィルター１５ａの外周を保持すると共に、ファンケーシング１２の外気取り入れ口１３の両側に設けたガイド部１２ａに着脱自在に装着される１次枠体１５ｂからなる１次フィルター体１５が配されている。さらに、１次フィルター体１５の内側には、２次フィルター体１４に摺接するブラシ部材１５ｃが設けられている。
【０００８】
又、ファンケーシング１２の吐出側と水槽２の間にはダクト１６が設けられ、そのダクト１６内に、吸引された外気を加熱するヒータ１７が配設されている。
【０００９】
水槽２の上部開口には、内フタ１８が設けられ、その内フタ１８には、フィルター１９を備えた排出口２０が形成されている。
【００１０】
更に、排出口２０の上方位置でトップパネル９に排気口２１が設けられている。
【００１１】
以上のように構成された従来の洗濯乾燥機の乾燥運転時の動作は以下の通りである。
【００１２】
送風ファン１１を作動して、外箱１に形成した開口１０から外気を、１次フィルター体１５、２次フィルター体１４を通して、ファンケーシング１２内に取り込み、ヒータ１７で加熱し、得られた温風をダクト１６を介して、洗濯兼脱水槽４内の洗濯物２２に接触させて、洗濯物２２に含まれている水分を蒸発させる。そして、水分を含んだ空気は、排出口２０に設けられたフィルター１９と、排気口２１を通って、外部に排出される。
【００１３】
開口１０から取り込まれた外気が１次フィルター体１５及び２次フィルター体１４を通過する際に、外気中に含まれている塵や埃が捕集される。よって、洗濯兼脱水槽４へは塵や埃が除去された清浄な空気が供給され、送風ファン１１やヒータ１７に塵や埃が付着することがない。また、２次フィルター体１４はファンケーシング１２に直接取り付けられているから、万が一、１次フィルター体１５を開口１０に付け忘れても、埃や塵が内部に侵入することが無い。
【００１４】
また、１次フィルター体１５に埃が堆積してきたら、それを上方に持ち上げて簡単に外して清掃することが出来る。さらに、１次フィルター体１５を上に引き出す際に、１次フィルター体１５の内面に設けたブラシ部材１５ｃにより、２次フィルター体１４が清掃されるので、非常に便利である。
【００１５】
図１２は、従来の洗濯乾燥機の他の例を示すもので、乾燥運転時に衣類を乾燥させるための熱風が通る熱風循環路の断面図である（例えば、特許文献２参照）。
【００１６】
図１２において、熱風循環路３１の一部に、循環する空気を加熱するヒータ３２を設け、そのヒータ３２の上流側に、ヒータ３２側から、２次フィルター体３４と、熱風循環路３１に挿抜可能な１次フィルター体３３が順に設けられ、１次フィルター体３３を熱風循環路３１より抜き差ししたときに、２次フィルター体３４の上流側の表面に接触するブラシ部材３５を、１次フィルター体３３の下流面の奥側端部に設けたものである。
【００１７】
以上のように構成された従来の洗濯乾燥機の動作は、以下の通りである。ヒータ３２で加熱された空気は、図示しない電動送風機によって、図示しない乾燥室に収納された衣類に吹き付けられ、その衣類から発生した蒸気を含んだ空気は、図示しない凝縮機に流入しそこで、蒸気は凝縮されて回収されると共に、乾いた空気が、熱風循環路３１を通って、１次フィルター体３３に至る。そして１次フィルター体３３で、比較的大きな塵埃が捕捉され、１次フィルター体３３を通り抜けた細塵は、２次フィルター体３４で捕捉され、きれいになった空気が、ヒータ３２で再び加熱され、これがまた乾燥室に送られるという動作を繰り返しながら、衣類の乾燥を行うようになっている。
【００１８】
そして、１次フィルター体３３が目詰まりしたときは、１次フィルター体３３を熱風循環路３１より抜き出し、ブラシ等を用いて清掃を行い、清掃後、１次フィルター体３３を熱風循環路３１に挿入するようにする。又、１次フィルター体３３を熱風循環路３１から挿抜する際に、１次フィルター体３３に設けたブラシ部材３５が２次フィルター体３４の上流側表面に接触しながら移動して、２次フィルター体３４に付着した塵埃を除去し、除去された塵埃が１次フィルター体３３上に落下して、２次フィルター体３４の清掃が自動的に行われるようになっている。
【特許文献１】特開２００４−２２２７５７号公報
【特許文献２】実願平４−０５０９０７号（実開平６−００３２９９号公報）のマイクロフイルム
【発明の開示】
【発明が解決しようとする課題】
【００１９】
しかしながら、上記特許文献１に開示された従来の洗濯乾燥機の構成では、２次フィルター体１４の除塵は、１次フィルター体１５の外箱１への装着時しか行えないため、例えば、２次フィルター体１４の有効面積が、１次フィルター体１５のそれより小さい場合、２次フィルター体１４が、１次フィルター体１５より早期に目詰まりし、外気のスムーズな取入れが阻害されてしまうという課題があった。また、２次フィルター体１４の単独での清掃ができないという課題も有していた。
【００２０】
又、特許文献２に開示されたような従来の洗濯乾燥機の構成においても、２次フィルター体３４を除塵するときは、１次フィルター体３３を熱風循環路３１から挿抜しなければならず使用勝手が悪いものであった。
【００２１】
本発明は、上記従来の課題を解決するもので、１次フィルター体を取り外すことなく２次フィルター体の清掃が容易にできる使用勝手の良い洗濯乾燥機を提供することを目的とするものである。
【課題を解決するための手段】
【００２２】
前記従来の課題を解決するために、本発明の洗濯機は、外気取り入れ口と排気口を有する略直方体の本体に、洗濯物を収納する内槽と、前記内槽を回転自在に収納する外槽と、前記外気取り入れ口から外気を吸引し、前記内槽内に送風し前記排気口より排気する電動送風機と、前記外気取り入れ口に設けられ塵埃を捕集する捕集フィルター体とを備え、前記捕集フィルター体は、２次フィルター体と、前記２次フィルター体の上流側で前記２次フィルター体に対面し且つ前記本体に着脱自在に挿着される１次フィルター体から構成され、前記２次フィルター体は、前記本体に固着された２次枠体と、外周が前記２次枠体に固着された２次フィルターと、前記２次フィルター体の上流面に摺接して除塵するよう取付けられると共に伝達ギアを有する除塵体より成り、前記１次フィルター体は、一端に開口部を有する箱状の１次枠体と、前記１次枠体に固着された１次フィルターと、前記１次枠体から前記本体の外方に出没自在の取っ手と、前記取っ手に連結されると共に前記伝達ギアに係合する係合ギアを有する軸体とを備えたもので、２次フィルター体は本体内に固着され、外からは見えないために、その汚れ具合は判りにくく、１次フィルター体を本体から外さないと確認できないが、取っ手を掴んでそれを１次枠体から出し入れするだけで、軸体の係合ギアに係合した伝達ギアを介して除塵体を駆動させて、２次フィルター体の除塵を簡単に行うことができる。
【００２３】
さらに、取っ手を大きく引き出した後それを持ち上げることにより、２次フィルター体を清掃した後、１次フィルター体が本体から外れ、１次フィルター体を簡単に清掃できる。また、１次フィルター体を本体に装着するときも、２次フィルター体が清掃されるので、２次フィルター体の清掃をより確実に行うことができる。
【００２４】
また、本発明の洗濯乾燥機は、外気取り入れ口と排気口を有すると共に開閉自在の蓋を設けた略直方体の本体に、洗濯物を収納する内槽と、前記内槽を回転自在に収納する外槽と、前記外気取り入れ口から外気を吸引し、前記内槽内に送風し前記排気口より排気する電動送風機と、前記外気取り入れ口に設けられ塵埃を捕集する捕集フィルター体とを備え、前記捕集フィルター体は、２次フィルター体と、前記２次フィルター体の上流側で前記２次フィルター体に対面し且つ前記本体に着脱自在に挿着される１次フィルター体から構成され、前記２次フィルター体は、前記本体に固着された２次枠体と、外周が前記２次枠体に固着された２次フィルターと、前記２次フィルター体の上流面に摺接して除塵するよう取付けられると共に伝達ギアを有する除塵体より成り、さらに、前記伝達ギアと係合自在に係合する係合ギアを一体的に形成すると共に前記蓋の開閉動作に連動して移動する軸体を備えたもので、２次フィルター体は本体内に固着され、外からは見えないために、その汚れ具合は判りにくく、１次フィルター体を本体から外さないと確認できないが、蓋の開閉動作に連動して軸体が移動し、それにより、軸体の係合ギアに係合した伝達ギアを介して除塵体を駆動させて、２次フィルター体の除塵を自動的に行うことができるので便利である。特に、蓋は洗濯乾燥機の使用時において、かならず開閉するので、２次フィルター体は常に新鮮である。
【発明の効果】
【００２５】
本発明の洗濯乾燥機は、１次フィルター体を取り外すことなく２次フィルター体の清掃が容易にできる使用勝手の良いものである。
【発明を実施するための最良の形態】
【００２６】
第１の発明は、外気取り入れ口と排気口を有する略直方体の本体に、洗濯物を収納する内槽と、前記内槽を回転自在に収納する外槽と、前記外気取り入れ口から外気を吸引し、前記内槽内に送風し前記排気口より排気する電動送風機と、前記外気取り入れ口に設けられ塵埃を捕集する捕集フィルター体とを備え、前記捕集フィルター体は、２次フィルター体と、前記２次フィルター体の上流側で前記２次フィルター体に対面し且つ前記本体に着脱自在に挿着される１次フィルター体から構成され、前記２次フィルター体は、前記本体に固着された２次枠体と、外周が前記２次枠体に固着された２次フィルターと、前記２次フィルター体の上流面に摺接して除塵するよう取付けられると共に伝達ギアを有する除塵体より成り、前記１次フィルター体は、一端に開口部を有する箱状の１次枠体と、前記１次枠体に固着された１次フィルターと、前記１次枠体から前記本体の外方に出没自在の取っ手と、前記取っ手に連結されると共に前記伝達ギアに係合する係合ギアを有する軸体とを備えたもので、２次フィルター体は本体内に固着され、外からは見えないために、その汚れ具合は判りにくく、１次フィルター体を本体から外さないと確認できないが、取っ手を掴んでそれを１次枠体から出し入れするだけで、軸体の係合ギアに係合した伝達ギアを介して除塵体を駆動させて、２次フィルター体の除塵を簡単に行うことができる。
【００２７】
さらに、取っ手を大きく引き出した後それを持ち上げることにより、２次フィルター体を清掃した後、１次フィルター体が本体から外れ、１次フィルター体を簡単に清掃できる。また、１次フィルター体を本体に装着するときも、２次フィルター体が清掃されるので、２次フィルター体の清掃をより確実に行うことができる。
【００２８】
第２の発明は、特に、第１の発明の取っ手は、１次枠体に設けた軸受に可動自在に支持され、前記取っ手を前記本体より所定距離だけ引き出したとき、前記軸体に設けたストッパーが前記軸受の一部に当接するようにしたもので、取っ手を所定距離だけ引き出した後さらに持ち上げると、ストッパーが軸受の一部に当接しているので、１次枠体を本体から容易に取り出すことが出来る。この時、前記所定の距離を、少なくとも、除塵体が１回転以上回転するように形成すれば、２次フィルター体の除塵が確実に実施される。
【００２９】
第３の発明は、特に、第１又は第２の発明の軸体を、その長手方向の一方向に常時付勢する弾性体を設けたもので、例えば、軸体を常時下方に付勢する弾性体を設ければ、取っ手を引き上げた後、取っ手から手を離すだけで、軸体が自動的に下がるので、便利である。
【００３０】
第４の発明は、特に、第１〜３のいずれか一つの発明の１次フィルター体の伝達ギア近傍部に、係合ギアが前記伝達ギアから離脱することを防止する軸体規制部を設けたもので、軸体規制部により、係合ギアと伝達ギアとの係合が外れることが無いので、取っ手を操作して、２次フィルター体の除塵を確実に行うことができる。
【００３１】
第５の発明は、外気取り入れ口と排気口を有すると共に開閉自在の蓋を設けた略直方体の本体に、洗濯物を収納する内槽と、前記内槽を回転自在に収納する外槽と、前記外気取り入れ口から外気を吸引し、前記内槽内に送風し前記排気口より排気する電動送風機と、前記外気取り入れ口に設けられ塵埃を捕集する捕集フィルター体とを備え、前記捕集フィルター体は、２次フィルター体と、前記２次フィルター体の上流側で前記２次フィルター体に対面し且つ前記本体に着脱自在に挿着される１次フィルター体から構成され、前記２次フィルター体は、前記本体に固着された２次枠体と、外周が前記２次枠体に固着された２次フィルターと、前記２次フィルター体の上流面に摺接して除塵するよう取付けられると共に伝達ギアを有する除塵体より成り、さらに、前記伝達ギアと係合自在に係合する係合ギアを一体的に形成すると共に前記蓋の開閉動作に連動して移動する軸体を備えたもので、２次フィルター体は本体内に固着され、外からは見えないために、その汚れ具合は判りにくく、１次フィルター体を本体から外さないと確認できないが、蓋の開閉動作に連動して軸体が移動し、それにより、軸体の係合ギアに係合した伝達ギアを介して除塵体を駆動させて、２次フィルター体の除塵を自動的に行うことができるので便利である。特に、蓋は洗濯乾燥機の使用時において、かならず開閉するので、２次フィルター体は常に新鮮である。
【００３２】
以下、本発明の実施例について、図面を参照しながら説明する。なお、この実施例によって本発明が限定されるものではない。
【００３３】
（実施例１）
【００３４】
図１は、本発明の第１の実施例における洗濯乾燥機の斜視図、図２は、同洗濯乾燥機の縦断面図、図３は、同洗濯乾燥機の外気取り入れ口の斜視図、図４は、同洗濯乾燥機の１次フィルター体と取っ手の斜視図、図５は、同洗濯乾燥機の捕集フィルター体の縦断面図、図６は、同１次フィルター体を本体から取り出す状態を示す縦断面図、図7は、同洗濯乾燥機の除塵体と軸体の係合状態を示す斜視図である。
【００３５】
４０は、正面４０ａと、側面４０ｂと、背面４０ｃ及び上面４０ｄを有する略直方体の本体で、上面４０ａには、手掛け部４１ａと排気口４１ｂを有する開閉自在の外蓋４１と、洗濯乾燥機の運転や停止等を行うための操作部４２を備えている。本体４０内には、揺動自在の外槽４３と、該外槽４３の上面に設けられ通過口４４ａを有する中蓋４４と、外槽４３に回転自在に支持されると共に、上面開口で外周囲に多数の排水孔４５ａを有し衣類を洗濯や乾燥するために収納する内槽４５と、該内槽４５の底部に回転自在に支持された回転翼４６と、内槽４５と回転翼４６を回転駆動するモーター４７と、該モーター４７の回転力を内槽４５と回転翼４６に必要に応じて切り換えて伝達するクラッチ４８と、水道水を内槽４５内に供給する導水管４９と、外槽４３内の洗濯水やすすぎ水を外部に排水するための排水管５０と、排水管５０の途中に設けられ排水を制御する電磁弁５１が収納されている。５２は、内槽４５の上端に環状に設けられたバランサーである。
【００３６】
さらに、本体４０の上面４０ｄで、操作部４２の近傍には、外気取り入れ口５３が設けられ、その外気取り入れ口５３には、捕集フィルター体５４が設けられている。５５は、捕集フィルター体５４と外槽４３を連通する送風路で、該送風路５５内には、外気を捕集フィルター体５４を通して吸引し、外槽４３や内槽４５内に送り、更に通過口４４ａを通過して排気口４１ｂから排風させるための電動送風機５６と、電動送風機５６で吸引された空気を所定の温度まで加熱するヒータ５７が配されている。
【００３７】
５８は、内槽４５内の温度や湿度をキャッチする温湿度センサーで、温湿度センサー５８で検知された温湿度のデータに基づき、ヒータ５７や電動送風機５６の運転を制御する制御体（図示せず）も内装されている。
【００３８】
捕集フィルター体５４は、２次フィルター体６０と、２次フィルター体６０の上流側で、しかも２次フィルター体６０に対面するように着脱自在に本体４０に装着される１次フィルター体６１から構成されている。
【００３９】
２次フィルター体６０は、図３に示すように、本体４０に固着されると共に略平板状の２次枠体６０ａと、外周囲が、２次枠体６０ａで支持・固定された略円形の２次フィルター６０ｂと、２次フィルター６０ｂの上流側表面に付着した塵埃を除去する除塵体６２から構成されている。除塵体６２は、２次フィルター６０ｂの中心部に回転自在に支持されると共に、２次フィルター６０ｂの上流面に接触しながら回転して、２次フィルター６０ｂに付着した塵埃を除去する除塵子６２ａと、除塵子６２ａを所定速度で回転させる伝達ギア６２ｂより構成されている。
【００４０】
１フィルター体６１は、図４に示すように、略直方体に構成され上部に取っ手６３を上下動自在に支持し、一端面が開口する開口部６４ａを有する塵埃収納室６４ｂが形成された１次枠体６４と、１次枠体６４の他端面に固着され、吸引される外気に含まれた塵埃を捕集する１次フィルター６５で構成されている。
【００４１】
１次フィルター６５の大きさは、全体的に２次フィルター６０ｂの平面的な面積より大きく形成され、除塵体６２により、２次フィルター６０ｂから除塵された塵埃は、確実に塵埃収納室６４ｂに収納することができる。
【００４２】
１次枠体６４の外側面には、本体４０の外気取り入れ口５３に対向して形成されたガイド溝５３ａに挿入自在のガイドリブ６４ｃが設けられ、１次フィルター体６１が本体４０に着脱自在に支持されるようになっている。
【００４３】
取っ手６３は、取っ手部６３ａと、伝達ギア６２ｂに係合自在に係合する係合ギア６３ｂを有すると共に取っ手部６３ａに連結された軸体６３ｃより構成されると共に、１次枠体６４の天面より垂下形成された軸受６４ｄに上下動自在に支持されている。
【００４４】
軸体６３ｃの長手方向の途中には、その長手方向と直交する向きにストッパー６３ｄが設けられ、一方軸受６４ｄには、軸体６３ｃのストッパー６３ｄの移動を許容するスリット６４ｇが形成され、更に、１次枠体６４の天面とストッパー６３ｄの間で、軸受６４ｄの外周に弾性体６６が配され、軸体６３ｃを、すなわち取っ手６３を常時下方に、すなわち１次枠体６４側に所定の付勢力で付勢している。なお、本実施例では、弾性体６６の付勢力により、取っ手６３が最も下がった位置で、軸体６３ｃのストッパー６３ｄがスリット６４ｇの出口近傍で、しかもスリット６４ｇより飛び出ない位置になるように設定している。この取っ手６３が最も下がった位置で、ストッパー６３ｄの上面と、スリット６４ｇの上端との間の距離をＬとすると、この距離Ｌが、軸体６３ｃの軸受６４ｄ内の許容移動距離となる。すなわち、取っ手６３を上方に距離Ｌだけ持ち上げると、ストッパー６３ｄが軸受６４ｄに設けたスリット６４ｇの上端に当接し、取っ手６３のそれ以上の上方への移動が規制される。又、本実施例では、取っ手６３を上方に距離Ｌだけ移動させる間に、軸体６３ｃの係合ギア６３ｂが係合する伝達ギア６２ｂが少なくとも１回転以上、すなわ  ち除塵体６２を少なくとも１回転以回転するようになっている。
【００４５】
また、本実施例では、軸受６４ｄのスリット６４ｇを設けた部分を、軸体６３ｃがぐらついて、軸体６３ｃの係合ギア６３ｂが除塵体６２の伝達ギア６２ｂから離脱するのを防止する軸体規制部６４ｈとしている。
【００４６】
１次枠体６４の下方には、塵埃堆積部６４ｅが設けられ、その下面は、除塵体６２の回転により、２次フィルター６０ｂの上流面に附着した塵埃を確実に収納出来るように傾斜面を有する下側傾斜面６４ｆが形成され、さらにその上流側（Ａ部）は、１次枠体６４の一部で構成されているので（１次フィルター６５は配置されていない）、外気は通過せず、２次フィルター６０ｂからの塵埃が外気流により、２次フィルター６０ｂに再附着することは無い。また、２次フィルター６０ｂを構成する外気通過細径穴の大きさを、１次フィルター６５を構成する外気通過細径穴より小さく形成することで、１次フィルター６５を通過した塵埃を確実に捕集することができる。
【００４７】
以上のように構成された本実施例における洗濯乾燥機の動作、作用は以下の通りである。尚、洗濯、脱水、すすぎ及び脱水の各運転時の動作、作用は、従来の洗濯乾燥機と同じなので、その説明を省略し、ここでは、特に、乾燥工程時の動作について説明する。
【００４８】
内槽４５に収納された衣類６７は、回転翼４６の回転力により洗濯、すすぎが行われ、内槽４５の高速回転により脱水が行われ、その後、衣類６７の乾燥工程に移る。
【００４９】
乾燥工程では、電動送風機５６の運転が開始すると同時にヒータ５７に通電されて発熱する。この結果、塵埃を含んだ外気は、捕集フィルター体５４により清浄化され、送風路５５内で温風と化し、内槽４５内に侵入して、衣類６７を乾燥し、衣類６７からの蒸気を含んだ空気となって、通過口４４ａを経て排気口４１ｂより外部に排出される。
【００５０】
この乾燥工程は、温湿度センサー５８が所定温度や湿度を検知するまで繰り返された後運転が停止される。このような乾燥工程を幾度と無く繰り返していると、捕集フィルター体５４には塵埃が堆積し、外気の侵入を阻害し、乾燥効率を低下させるので、定期的に捕集フィルター体５４の清掃を行う必要がある。この時、捕集フィルター体５４の１次フィルター体６１の汚れ具合は、本体４０の上方でかつ操作部４２の近傍に１次フィルター体６１を設けているので、使用者にとっては、常に目で確認できるので、清掃作業の要否の判断がしやすい。
【００５１】
２次フィルター体６０を清掃するときは、取っ手６３を掴んで引き上げることにより、軸体６３ｃに形成された係合ギア６３ｂが、除塵体６２の伝達ギア６２ｂを回転させる。これにより、除塵体６２の除塵子６２ａが２次フィルター６０ｂの上流側面に接触しながら回転して、２次フィルター６０ｂに捕集された塵埃は、除塵され、１次フィルター体６１の開口部６４ａより塵埃堆積部６４ｅ内に落下収納される。このときに、少なくとも除塵子６２ａは１回転以上回転した後、ストッパー６３ｄが軸受６４ｄのスリット６４ｇの上端に当接し、更に、取っ手６３を上に引き上げると１次枠体６４全体を本体４０より取り出すことが出来る。
【００５２】
この時、取っ手６３を、ストッパー６３ｄがスリット６４ｇの上端に当接しない程度に上下させれば、１次フィルター体６１を取り外すことなく、２次フィルター６０ｂの除塵が可能と成る。また、取っ手６３を持ち、１次フィルター体６１を本体４０から取り出し、１次フィルター６５の塵埃を処理すると共に、塵埃堆積部６４ｅの塵埃を、開口部６４ａより捨て去れば、容易に清掃作業を終えることが出来る。
【００５３】
その後、１次枠体６４の両側に形成されたガイドリブ６４ｃをガイド溝５３ａに合致させて、押し込むと、軸体６３ｃに形成された係合ギア６３ｂが、再び除塵体６２の伝達ギア６２ｂに係合して、伝達ギア６２ｂを回転させ、除塵体６２は、２次フィルター６０ｂに取り残された塵埃を除塵して、塵埃堆積部６４ｅに塵埃を確実に収納する。
【００５４】
以上のように本実施例によれば、取っ手６３を掴んでそれを１次枠体６４から出し入れするだけで、軸体６３ｃの係合ギア６３ｂに係合した伝達ギア６２ｂを介して除塵体６２を駆動させて、２次フィルター体６０の除塵を簡単に行うことができる。
【００５５】
さらに、取っ手６３を大きく引き出した後それを持ち上げることにより、２次フィルター体６０を清掃した後、１次フィルター体６１が本体４０から外れ、１次フィルター体６１を簡単に清掃できる。また、１次フィルター体６１を本体４０に装着するときも、２次フィルター体６０が清掃されるので、２次フィルター体６０の清掃をより確実に行うことができる。
【００５６】
また、取っ手６３を所定距離だけ引き出した後さらに持ち上げると、ストッパー６３ｄが軸受６４ｄのスリット６４ｇの上端に当接しているので、１次枠体６４を本体４０から容易に取り出すことが出来る。この時、前記所定の距離を、少なくとも、除塵体６２が１回転以上回転するように形成しているので、２次フィルター体６０の除塵が確実に実施される。
【００５７】
さらに、取っ手６３を下方に付勢する弾性体６６を設けたので、取っ手６３を引き上げた後、手を放すと、取っ手は、弾性体６６の付勢力で、元通り下がるので、わざわざ取っ手６３を引き下げる操作が不要で便利である。
【００５８】
また、１次フィルター体６１の軸受６４ｄのスリット６４ｇを設けた部分、すなわち伝達ギア６２ｂの近傍部分を、係合ギア６３ｂが伝達ギア６２ｂから離脱するのを防止する軸体規制部６４ｈとしているので、取っ手６３の操作時に係合ギア６３ｂと伝達ギア６２ｂとの係合が外れることが無く、２次フィルター体６０の除塵を確実に行うことができる。
【００５９】
（実施例２）
【００６０】
図８は、本発明の第２の実施例における洗濯乾燥機の要部断面図、図９は、同洗濯乾燥機の２次フィルター体の平面図である。尚、上記第１の実施例における洗濯乾燥機と同一部分については同一符号を付してその説明を省略する。
【００６１】
上記第１の実施例では、取っ手６３を上下動させて、除塵体６２を回転駆動するようにしたが、本実施例では、使用者が、衣類６７を内槽４５に出し入れする際に開閉する外蓋４１の開閉動作に連動させて除塵体６２を回転させて、２次フィルター６０ｂの除塵を行うようにしたものである。
【００６２】
図８及び図９において、本実施例における洗濯乾燥機の２次フィルター体６０の２次枠体６０ａの上流面側には、可動自在保持軸受６８が設けられ、その可動自在保持軸受６８には、一側に、除塵体６２の伝達ギア６２ｂに係合する係合ギア６９ａを有する可動軸体６９が可動自在に保持されており、可動軸体６９を左右に移動させると、除塵体６２が２次フィルター６０ｂの上流側の表面に沿って回転するようになっている。
【００６３】
７０は、可撓性に優れたワイヤーなどからなり、可動軸体６９の一端と、本体４０に回動自在に取着された外蓋４１の端部とを連結する連結体である。７１は、可動軸体６９の他端（連結体７０が接続された側と反対側の端部）と２次枠体６０ａとの間に配され、可動軸体６９と連結体７０を介して、所定力で外蓋４１を、常時閉じる方向に付勢する引っ張りバネである。
【００６４】
以上のように構成された本実施例における洗濯乾燥機の２次フィルター体６０の除塵動作は以下のようにして行われる。
【００６５】
外蓋４１を開くと、連結体７０が、引っ張りバネ７１の付勢力に抗して引っ張られ、それにより可動軸体６９が移動し（図８においては、左方に移動）、可動軸体６９の係合ギア６９ａに係合した伝達ギア６２ｂが回転し、それに伴って除塵体６２が回転し（反時計方向）、２次フィルター体６０の除塵を行う。また、外蓋４１を閉じると、連結体７０に外蓋４１による張力が加わらないので、引っ張りバネ７１の付勢力により、可動軸体６９が元の位置に、すなわち右方に移動する。この移動の間に、除塵体６２が反転（時計方向）し、再び２次フィルター体６０の除塵を行う。
【００６６】
このように、本実施例によれば、使用者が外蓋４１を開閉する都度、２次フィルター体６０が除塵されるので、意識的に２次フィルター体６０の除塵を行う必要は無く、非常に便利である。これにより、通常は、１次フィルター体（図示せず）だけの塵埃の堆積状態を確認していれば良いものである。
【産業上の利用可能性】
【００６７】
以上のように、本発明に係る洗濯乾燥機は、１次フィルター体を取り外すことなく２次フィルター体の清掃が容易にできるもので、衣類、原材料、食品などを乾燥させる各種乾燥機にも応用できる。
【図面の簡単な説明】
【００６８】
【図１】本発明の第１の実施例における洗濯乾燥機の斜視図
【図２】同洗濯乾燥機の縦断面図
【図３】同洗濯乾燥機の外気取り入れ口の斜視図
【図４】（ａ）同洗濯乾燥機の１次フィルター体の斜視図、（ｂ）同１次フィルター体の取っ手の斜視図
【図５】同洗濯乾燥機の捕集フィルター体の縦断面図
【図６】同１次フィルター体を本体から取り出す状態を示す縦断面図
【図７】同洗濯乾燥機の除塵体と軸体の係合状態を示す斜視図である。
【図８】本発明の第２の実施例における洗濯乾燥機の要部断面図
【図９】同洗濯乾燥機の２次フィルター体の平面図
【図１０】従来の洗濯乾燥機の概略構成を示す断面図
【図１１】同洗濯乾燥機のファンケーシング部分の斜視図
【図１２】従来の他の洗濯乾燥機の熱風循環路の部分断面図
【符号の説明】
【００６９】
４０    本体
４１    外蓋(蓋)
４３    外槽
４５    内槽
４６    回転翼
５３    外気取り入れ口
５４    捕集フィルター
５５    送風路
５６    電動送風機
６０    ２次フィルター体
６０ａ  ２次枠体
６０ｂ  ２次フィルター
６１    １次フィルター体
６２    除塵体
６２ｂ  伝達ギア
６３    取っ手
６３ｂ  係合ギア
６３ｃ  軸体
６４    １次枠体
６５    １次フィルター
６９    可動軸体（軸体）
【図１】
2010022677.tif 000003
【図２】
2010022677.tif 000004
【図３】
2010022677.tif 000005
【図４】
2010022677.tif 000006
【図５】
2010022677.tif 000007
【図６】
2010022677.tif 000008
【図７】
2010022677.tif 000009
【図８】
2010022677.tif 000010
【図９】
2010022677.tif 000011
【図１０】
2010022677.tif 000012
【図１１】
2010022677.tif 000013
【図１２】
2010022677.tif 000014